(57)【特許請求の範囲】
【請求項１】
左右の外側面部にそれぞれ入力接栓又は出力接栓が形成され、前面が開口した開口面部を有する箱状の本体部と、前記開口面を覆う蓋部とから成り、ネジ締めにより前記本体部と前記蓋部とが固定された通信用中継器筐体において、
前記本体部の上下の外側面部にそれぞれ突設された略同径の少なくとも１対の柱状の固定手段と、
前記蓋部の下端部に突設された第１ヒンジ部材と、
形成された第１挿通孔に前記固定手段を挿通させて、前記本体部の外側面部に着脱可能に固定され、前記第１ヒンジ部材を回動自在に支持する第２ヒンジ部材と、
形成された第２挿通孔に前記固定手段を挿通させて前記本体部の外側面部に着脱可能に固定され、メッセンジャワイヤを前記本体部の外側面部との間で挟持することで前記本体部を前記メッセンジャワイヤに懸吊する吊り部材とを備え、
前記本体部を前記蓋部に対して上下及び左右を反転させた２つの姿勢において、前記本体部と前記蓋部とを結合可能とし、常に前記吊り部材と前記メッセンジャワイヤとが前記本体部の上側の外側面部に位置し、前記第１及び第２ヒンジ部材が前記本体部の下側の外側面部に位置するように取付けを可能としたことを特徴とする通信用中継器筐体。
【請求項２】
前記各固定手段は、前記本体部の上下の外側面部にそれぞれ埋め込まれた埋め込みボルトと、その各埋め込みボルトと螺合するナットとから成ることを特徴とする請求項１に記載の通信用中継器筐体。
【請求項３】
前記各固定手段は、前記本体部の上下の外側面部にそれぞれ形成されたネジ穴と、その各ネジ穴に螺合するボルトとから成ることを特徴とする請求項１に記載の通信用中継器筐体。
【請求項４】
前記本体部の上下の外側面部にそれぞれ略同寸法形状の座部が設けられ、その各座部に前記各固定手段が設けられたことを特徴とする請求項１に記載の通信用中継器筐体。
【請求項５】
前記第１ヒンジ部材は、前記蓋部から延出した腕部と、その腕部に設けられた軸部とから成ることを特徴とする請求項１に記載の通信用中継器筐体。
【請求項６】
前記第２ヒンジ部材は、前記第１ヒンジ部材を回動自在に支持する半球面状の受け部を有することを特徴とする請求項１に記載の通信用中継器筐体。
【請求項７】
前記本体部の少なくとも前記外側面部には放熱フィンが形成され、
前記吊り部材は、前記本体部側に向かって立設されたガイド部を有し、前記メッセンジャワイヤを挿通するワイヤ挿通孔が前記ガイド部の前記本体部側に開口して形成され、
前記吊り部材の前記ガイド部が前記放熱フィン間の凹部に配置され、前記ワイヤ挿通孔に前記メッセンジャワイヤを挿通して前記固定手段を用いて前記吊り部材が前記本体部に固定されることにより、前記メッセンジャワイヤが前記ワイヤ挿通孔の周縁部と前記放熱フィンとで挟持されたことを特徴とする請求項１に記載の通信用中継器筐体。
【発明の詳細な説明】
【０００１】
【発明の属する技術分野】
本発明は、信号の入出力方向の反転が可能な通信用中継器筐体に関し、特に、簡単な機構により筐体の蓋部を正姿勢で下側に開放でき、かつ信号の入出力方向を反転できる中継器筐体に関する。
【０００２】
【従来の技術】
従来、入出力の反転が可能なＣＡＴＶ用の中継器筐体として、例えば図９に示されるものが知られている（特願平５−３０１１６１号）。
トランクアンプケース１００は、主としてケース本体１２０と蓋１１０とから成る。本体１２０の左右の側面部には信号の入出力のためのコネクタ１２４、１２５がそれぞれ設けられており、本体１２０の上面にはそれをメッセンジャワイヤに固定するための固定金具１２２ａが設けられている。蓋１１０はその下端において本体１２０の下端と蝶番部１０２ｂにより蝶着されている。中継器の調整時には、蓋１１０を本体１２０に対して蝶番部１０２ｂにて下方に回動させ、ケース１００が開口される。
蓋１１０の外表面には銘板が貼着されており、この銘板により蓋１１０の正姿勢を判別できる。ケース本体１２０内に搭載された機器の信号伝送方向は固定されているので、蓋１１０を正姿勢にして左側のコネクタ１２４が入力、右側のコネクタ１２５が出力である。一方、バケット車などによって路上で調整作業を行う都合上、道路に沿って敷設されたメッセンジャワイヤに懸吊されたＣＡＴＶ用中継器の開口部は、常に車道側を向き、しかも蓋１１０が下方向に開かれることが望ましい。
このため、伝送路の信号の伝送方向によっては、入力コネクタと出力コネクタの位置を左右反転させる必要がある。上記条件を満たして入出力を反転させるには、蓋１１０を正姿勢に保持した状態で本体１２０の上下左右を反転させて蓋１１０に組付ける必要がある。そのための方法として、次の方法がある。
まず、メッセンジャワイヤに固定するための固定金具１２２ａ、１２２ｂと、開口のための蝶番部１０２ａ、１０２ｂとを本体１２０の上下両面に対称に４箇所配設する。各蝶番部１０２ａ、１０２ｂには、締め付けボルト１０１ａ、１０１ｂが螺合され、本体１２０と蓋１１０とが固定される。反転時には４箇所の締め付けボルト１０１ａ、１０１ｂをそれぞれ蝶番部１０２ａ、１０２ｂから抜き取り、蓋１１０を本体１２０から取り外す。次に、蓋１１０の姿勢はそのまま正姿勢とし、本体１２０のみ開口面の中心を軸として１８０度回転させ、上下左右を反転させる。その後、締め付けボルト１０１ｂを蓋１１０の挿通孔１１１ａに通して反転させ、下方にある蝶番部１０２ａに締め付ける。これにより反転後に本体１２０の下方に蝶番機構が形成される。又、本体１２０の上部には締め付けボルト１０１ａを蝶番部１０２ｂに締め付ける。
【０００３】
【発明が解決しようとする課題】
しかしながら、上記の方法は回動可能な蝶番部１０２ａ、１０２ｂに対して４本の締め付けボルト１０１ａ、１０１ｂを取り外しするため、操作性が良くない。又、固定金具１２２ａ、１２２ｂと蝶番部１０２とを本体１２０の上下両面に設けるために使用しない固定金具が存在し、回動機構を有した複雑な機構の蝶番を余分に必要とするという問題がある。
【０００４】
従って、本発明の目的は、上記課題に鑑み、簡単な機構により蓋を正姿勢に保持し、かつ下方に開口可能な状態で、信号の入出力方向を反転できる通信用中継器筐体を実現することである。
【０００５】
【課題を解決するための手段】
上記の課題を解決するために、請求項１に記載の発明によれば、通信用中継器筐体は、主として前面が開口した開口面部を有し、箱状の本体部と、本体部の開口面を覆う蓋部とで構成されており、本体部の左右の外側面部にはそれぞれ入力接栓又は出力接栓が形成されている。本体部の上下の外側面部にはそれぞれ柱状で略同径の固定手段が少なくとも１対突設され、蓋部の下端部には第１ヒンジ部材が突設されている。第２ヒンジ部材及び吊り部材には、それぞれ第１挿通孔及び第２挿通孔が形成されている。そして、下側の固定手段を第２ヒンジ部材の第１挿通孔に挿通し、この固定手段を用いて第２ヒンジ部材を本体部に着脱可能に固定することにより、第１ヒンジ部材が回動自在に支持される。又、上側の固定手段を吊り部材の第２挿通孔に挿通し、この固定手段を用いて吊り部材を本体部に着脱可能に固定すると共に、メッセンジャワイヤを吊り部材と本体部の外側面部とで挟持することにより、本体部がメッセンジャワイヤに懸吊される。筐体の入出力を反転する場合には、本体部を蓋部に対して上下及び左右を反転させた姿勢とし、吊り部材を本体部の上側の外側面部に設けられた固定手段を用いて取付け、第２ヒンジ部材を本体部の下側の外側面部に設けられた固定手段を用いて取り付ける。
これにより、吊り部材及び第２ヒンジ部材は共に固定手段の挿通が可能であるので、本体部の上下左右を反転させて蓋部と組付けすることにより、蓋部を正姿勢に保持した状態で信号の入出力方向を反転させることができる。このように共通の固定手段により第２ヒンジ部材と吊り部材とが本体部の上下面の共通の箇所に取付けられるので、全体として簡単な機構部材の設置領域を効率良く利用でき、簡単な操作により蓋部を正姿勢にして下側に開放でき、しかも入出力方向の反転を容易に行うことができる。
【０００６】
又、請求項２に記載の発明によれば、本体部の上下の外側面部に埋め込まれた埋め込みボルトと、その埋め込みボルトと螺合するナットとで各固定手段を構成することにより、埋め込みボルトを第１挿通孔又は第２挿通孔に挿通させ、埋め込みボルトとナットとを螺合させることで第２ヒンジ部材及び吊り部材を本体部に容易に着脱可能に固定することができる。
【０００７】
請求項３に記載の発明によれば、本体部の上下の外側面部にそれぞれ形成されたネジ穴と、その各ネジ穴に螺合するボルトとで各固定手段を構成することにより、ボルトを第１挿通孔又は第２挿通孔に挿通させ、その状態でボルトをネジ穴に螺合させることで第２ヒンジ部材及び吊り部材を本体部に容易に着脱可能に固定することができる。
【０００８】
請求項４に記載の発明によれば、本体部の上下の外側面部にそれぞれ略同寸法形状の座部が設けられ、その各座部に各固定手段が設けられることにより、第２ヒンジ部材及び吊り部材の位置決めを容易に行うことができ、それらを組付ける際の作業性が向上する。
【０００９】
請求項５に記載の発明によれば、蓋部から延出した腕部と、その腕部に設けられた軸部とで第１ヒンジ部材を構成する。ここで、軸部は各腕部に凸状に設けられた場合や連続して１つの軸に形成された場合を含む。
これにより、第１ヒンジ部材を簡易な構成とすることができる。又、軸部を各腕部に凸状に設けた構成とすると、第２ヒンジ部材の第１挿通孔を軸部の軸線から外して設ける必要がなく、軸部の軸線上に形成できるので、第２ヒンジ部材の小型化が可能になる。又、軸部の軸線と固定手段の軸線とが同一平面内に位置するので、蓋部の回動時に蓋部自重により過大なモーメントが固定手段に対して作用することがなく、固定手段により蓋部を確実に固定することができる。
【００１０】
請求項６に記載の発明によれば、第２ヒンジ部材に、第１ヒンジ部材を回動自在に支持する半球面状の受け部を備える。これにより、第２ヒンジ部材の受け部が半球面状に形成されているので、第１ヒンジ部材との回動摺動部が乾燥しやすくなり、受け部と第１ヒンジ部材との錆による固着を防止することができる。
【００１１】
請求項７に記載の発明によれば、本体部の少なくとも外側面部には放熱フィンが形成され、その放熱フィン間の凹部に吊り部材の本体部側に向かって立設されたガイド部が配置される。ガイド部には本体部側に開口してワイヤ挿通孔が形成されており、このワイヤ挿通孔にメッセンジャワイヤを挿通し、固定手段を用いて吊り部材を本体部に固定することにより、メッセンジャワイヤがワイヤ挿通孔の周縁部と放熱フィンとで挟持されるので、中継器筐体をメッセンジャワイヤに良好に懸吊することができる。又、ガイド部は放熱フィン間の凹部内を上下方向に変位が可能であるので、メッセンジャワイヤの径に応じて良好にメッセンジャワイヤを挟持できる。
【００１２】
【発明の実施の形態】
以下、本発明を具体的な実施例に基づいて説明する。
図１（ａ）、（ｂ）は、それぞれ本発明の具体的な実施例に係わる中継器筐体の本体部１の構成を示した模式的平面図、正面図であり、図２（ａ）、（ｂ）は、それぞれ中継器筐体の蓋部２の構成を示した模式的平面図、正面図である。又、図３（ａ）、（ｂ）、（ｃ）及び（ｄ）は、それぞれ吊り部材３の構成を示した模式的平面図、正面図、下面図及び右側面図であり、図４（ａ）、（ｂ）、（ｃ）及び（ｄ）は、それぞれヒンジ部材（第２ヒンジ部材）４の構成を示した模式的平面図、正面図、下面図及び右側面図である。そして、図５は、蓋部２側から示した筐体の組立図であり、図６及び図８は、それぞれ吊り部材３及びヒンジ部材４の組立展開図を示している。又、図７は、吊り部材３と放熱フィン１５とによるメッセンジャワイヤ１０の挟持状態を示した部分拡大図である。
【００１３】
図１に示されるように、本体部１は、蓋部２と対向する面に開口面部１０ｆを有した略箱型を成し、外側面部１０ａ、１０ｃと外底面部１０ｅとには、放熱フィン１５が複数個形成されている。本体部１の他方の外側面部１０ｂ、１０ｄにはそれぞれ出力接栓１６、入力接栓１７が設けられている。
又、外側面部１０ａ、１０ｃには、吊り部材３及び第２ヒンジ部材であるヒンジ部材４を取付けるための略同寸法形状の取付け座部１１ａ、１１ｂが設けられており、それぞれの取付け座部１１ａ、１１ｂには略同径の埋め込みボルト１２ａ、１２ｂが外側に突出するように埋め込まれている。この埋め込みボルト１２ａ、１２ｂと後述するナット６２ａ、６２ｂとが請求項でいうところの固定手段に相当する。本体部１の四隅には、蓋部２との固定のための固定部１３ａ、１３ｂ、１３ｃ及び１３ｄが設けられ、それぞれには後述するボルトとの螺合が可能なネジ穴１４ａ、１４ｂ、１４ｃ及び１４ｄが形成されている。
【００１４】
図２に示されるように、蓋部２は、本体部１と対向する面が開口された略箱型を成し、外側面部２０ａ、２０ｃと外底面部２０ｅの略中央を除いた部分とには放熱フィン２５が複数個形成されている。
又、外側面部２０ｃには、所定間隔で１対の腕部２６ａ、２６ｂが突設されており、各腕部２６ａ、２６ｂには内向きに対向した凸状の軸部２７ａ、２７ｂが設けられている。この腕部２６ａ、２６ｂ及び軸部２７ａ、２７ｂが請求項でいうところの第１ヒンジ部材に相当する。この蓋部２の四隅には、本体部１との固定のための固定部２３ａ、２３ｂ、２３ｃ及び２３ｄが設けられ、それぞれにはボルトの挿通が可能な孔部２４ａ、２４ｂ、２４ｃ及び２４ｄが形成されている。又、外底面部２０ｅの略中央には銘板２１が貼着されている。
【００１５】
図３に示されるように、吊り部材３は略平板状に構成され、その略中央には外形形状が円弧状の取付け部３１が設けられ、その下面部３１ｂは本体部１の取付け座部１１ａ又は１１ｂ上に配置される。又、取付け部３１には埋め込みボルト１２ａ又は１２ｂの挿通が可能な第２挿通孔３２が形成されており、埋め込みボルト１２ａ又は１２ｂと後述するナットとを螺合させることにより、吊り部材３が本体部１に固定される。このナットは取付け座部３１の上面部３１ａに当接配置される。吊り部材３の両端には、ガイド部３４ａ、３４ｂが立設され、各ガイド部３４ａ、３４ｂにはメッセンジャワイヤを通すためのワイヤ挿通孔３３ａ、３３ｂが半円弧状に開口して形成されている。
【００１６】
図４に示されるように、ヒンジ部材４は、板状の台座部４４の両側に半球面状の受け部４３ａ、４３ｂ及び回動規制部４５ａ、４５ｂが設けられている。受け部４３ａ、４３ｂは、蓋部２の軸部２７ａ、２７ｂを回動可能に支持する機能を有し、回動規制部４５ａ、４５ｂは回動する腕部２６ａ、２６ｂと当接することで蓋部２の本体部１に対する所定量以上の回動を規制している。又、台座部４４の上面部４４ａには、ナットを取付けるための取付け部４１が形成され、この取付け部４１には埋め込みボルト１２ａ、１２ｂの挿通を可能とする第１挿通孔４２が形成されている。又、台座部４４は、その下面部４４ｂを当接して本体部１の取付け座部１１ａ又は１１ｂ上に配置される。
【００１７】
次に、図５〜図８を用いて本体部１と蓋部２の組付け方法について以下に説明する。
まず、本体部１の各ネジ穴１４ａ〜１４ｄと蓋部２の各孔部２４ａ〜２４ｄとを位置合わせする。この位置合わせにより、下側に位置する埋め込みボルト１２ｂ側に腕部２６ａ、２６ｂ及び軸部２７ａ、２７ｂが配置される。そして、各ボルト６３ａ〜６３ｄを蓋部２側から各ワッシャ５３ａ〜５３ｄを介して各孔部２４ａ〜２４ｄに挿通し、各ネジ穴１４ａ〜１４ｄに螺合する。
【００１８】
次に、図８に組立展開を示すように、埋め込みボルト１２ｂをヒンジ部材４の第１挿通孔４２に挿通し、ワッシャ５２ｂ及びスプリングワッシャ７２ｂを介してナット６２ｂを埋め込みボルト１２ｂに螺合させ、ヒンジ部材４を取付け座部１１ａ上に固定する。これにより、軸部２７ａ、２７ｂがヒンジ部材４の受け部４３ａ、４３ｂによって回動可能に支持される。
続いて、図６に組立展開を示すように、埋め込みボルト１２ａを吊り部材３の第２挿通孔３２に挿通し、ワッシャ５２ａ及びスプリングワッシャ７２ａを介してナット６２ａを埋め込みボルト１２ａに螺合させ、吊り部材３を取付け座部１１ａ上に固定する。このとき、吊り部材３のガイド部３４ａ、３４ｂは、放熱フィン１５間の凹部１５ａに配置される。
このようにしてヒンジ部材４及び吊り部材３を本体部１に組付けた状態を蓋部２側から示せば図５のようになる。図５に示されるように蓋部２側から見ると左側に入力接栓１７が配置され、右側に出力接栓１６が配置される。
【００１９】
上記に示される構成において、吊り部材３のワイヤ挿通孔３３ａ、３３ｂにメッセンジャワイヤ１０を挿通し、ナット６２ａを締め込むことによりメッセンジャワイヤ１０が放熱フィン１５とガイド部３４ａ、３４ｂとで挟持固定される。このようにして、吊り部材３を用いて中継器筐体をメッセンジャワイヤ１０に良好に固定することができる。放熱フィン１５と吊り部材３とによるメッセンジャワイヤ１０の挟持状態の部分拡大図を示せば、図７のようになる。尚、吊り部材３のガイド部３４ａ、３４ｂは、放熱フィン１５間の凹部１５ａに配置されるので、上下方向への変位が容易であり、メッセンジャワイヤ１０の径に応じて良好に挟持することができる。
又、蓋部２を開口するときは、各ボルト６３ａ〜６３ｄを螺緩し、各ネジ穴１４ａ〜１４ｄから引き抜けばよい。ヒンジ部材４によって本体部１と蓋部２とが下端で蝶着されているので、蓋部２を下方に向けて開口させることができる。尚、各ボルト６３ａ〜６３ｄは各孔部２４ａ〜２４ｄから脱落しないように設けられている。
又、ヒンジ部材４の受け部４３ａ、４３ｂが半球面状に形成されているので、軸部２７ａ、２７ｂとの回転摺動部が乾燥しやすく、錆による受け部４３ａ、４３ｂと軸部２７ａ、２７ｂとの固着が防止される。又、この蝶番構造は、図９に示される従来の蝶番構造に比較して簡易な構成であり、部品点数を低減することができる。
又、軸部２７ａ、２７ｂは、両端だけ形成され、中央部が分離された構造であるので第１挿通孔４２を軸部２７ａ、２７ｂの軸線上に形成できる。これにより、第１挿通孔４２を軸部２７ａ、２７ｂの軸線からずらして設ける必要がないのでヒンジ部材４をより小型化できる。又、軸部２７ａ、２７ｂの軸線と埋め込みボルト１２ｂの軸線とが同一平面内に位置するので、蓋部２の回動時に蓋部２の自重により過大なモーメントが埋め込みボルト１２ｂに対して作用することがなく、この埋め込みボルト１２ｂにより蓋部２を確実に固定することができる。
【００２０】
入出力方向を反転させる場合には、略同径の埋め込みボルト１２ａ、１２ｂが取付け座部１１ａ、１１ｂに設けられているので、蓋部２に対して本体部１の上下及び左右を反転させ、本体部１のネジ穴１４ａ、１４ｂ、１４ｃ及び１４ｄと蓋部２の孔部２４ｃ、２４ｄ、２４ａ及び２４ｂとをそれぞれ位置合わせする。これにより、本体部１の埋め込みボルト１２ａがヒンジ側（下側）に配置され、埋め込みボルト１２ｂが上側に配置されるため、蓋部２側から見ると、左側に出力接栓１６が配置され、右側に入力接栓１７が配置された構成となる。よって、この状態でボルト６３ａ〜６３ｄを用いて本体部１と蓋部２とを固定し、ヒンジ部材４及び吊り部材３をそれぞれ埋め込みボルト１２ａ、１２ｂに組付けることによって、蓋部２の銘板２１を正姿勢に保持した状態で下方に開放でき、信号の伝送方向を右から左へと入出力方向を反転することができる。
【００２１】
上記実施例では、筐体の上下の各側に吊り部材３と複雑な蝶番機構の両部材を設ける必要がないので、部材の無駄がなく、信号の入出力方向の反転機構を簡略化できる。又、吊り部材３とヒンジ部材４の取付け位置に埋め込みボルト１２ａ、１２ｂが共通化して設けられているので、ダミーの取付け孔が存在せず、取付け孔が経年的に劣化することによってそれら部材の取付けが困難になるということがない。又、ヒンジ部材４と吊り部材３は、共に埋め込みボルト１２ａ、１２ｂの挿通を可能とし、ナット６２ａ、６２ｂを用いて組付けできるので、全体として部材の設置領域の効率化を図ることができ、しかも入出力方向の反転作業を容易に行うことができる。
【００２２】
尚、上記実施例では、本体部１の取付け座部１１ａ、１１ｂに埋め込まれた埋め込みボルト１２ａ、１２ｂと、この埋め込みボルト１２ａ、１２ｂと螺合するナット６２ａ、６２ｂとで固定手段を構成したが、取付け座部１１ａ、１１ｂにネジ孔を設け、このネジ孔と螺合するボルトを用いて固定手段としてもよい。
又、上記実施例では、各腕部２６ａ、２６ｂに対して内向きに対向して突出した２本の軸部２７ａ、２７ｂを円柱状に設けた構成としたが、円錐形状、半球形状、その他の凸状体としてもよい。又、この軸部２７ａ、２７ｂを外向きに設けてもよい。さらに、腕部２６ａ、２６ｂに連結された１本の軸部としてもよい。尚、これらの場合には、ヒンジ部材４を、軸部の形状に対応させた形状に構成する必要がある。
又、上記実施例では、吊り部材３に設けられたメッセンジャワイヤ１０を挿通するためのワイヤ挿通孔３３ａ、３３ｂを半円弧状に開口して形成したが、他の円弧状、Ｖ字状に開口して形成してもよい。
又、上記実施例では、吊り部材３の両端にガイド部３４ａ、３４ｂを設けた構成としたが、ガイド部３４ａ、３４ｂは放熱フィン１５間の凹部１５ａに対応した位置に設けられていればよい。
又、上記実施例では、１対の埋め込みボルト１２ａ、１２ｂを設けた構成としたが、１対以上の埋め込みボルトを設け、その埋め込みボルトに対応して吊り部材及びヒンジ部材を備えた構成としてもよい。要は、本体部１を蓋部２に対して１８０度回転させたときに重なる点対称の位置に埋め込みボルトを設ければよい。
又、上記実施例では、メッセンジャワイヤ１０を吊り部材３と放熱フィン１５とで挟持固定する構成としたが、吊り部材３と本体部１の外側面とでメッセンジャワイヤ１０を固定する構成としてもよい。
【００２３】
上記に示されるように、本発明によれば、中継器筐体の本体部の上下の外側面部のそれぞれに略同径の固定手段を突設し、各固定手段を共に挿通可能な吊り部材及び第２ヒンジ部材を用いて本体部の上下左右を反転させて蓋部と組付けることにより、蓋部を正姿勢に保持した状態で信号の入出力方向を容易に反転することができる。共通な固定手段により吊り部材と第２ヒンジ部材とが本体部の上下面の共通の箇所に取付けられるので、簡単な機構と簡単な操作により蓋部を正姿勢にして下方に開放できる。
【図面の簡単な説明】
【図１】本発明の具体的な実施例に係わる中継器筐体の本体部の構成を示した模式図。
【図２】本発明の具体的な実施例に係わる中継器筐体の蓋部の構成を示した模式図。
【図３】本発明の具体的な実施例に係わる中継器筐体の吊り部材の構成を示した模式図。
【図４】本発明の具体的な実施例に係わる中継器筐体のヒンジ部材の構成を示した模式図。
【図５】本発明の具体的な実施例に係わる中継器筐体においてヒンジ部材及び吊り部材を組付けた状態を蓋部側から示した模式図。
【図６】本発明の具体的な実施例に係わる中継機筐体の吊り部材の組立展開を示した模式図。
【図７】本発明の具体的な実施例に係わる中継器筐体において吊り部材と放熱フィンとを用いてメッセンジャワイヤを挟持した状態を示した部分拡大図。
【図８】本発明の具体的な実施例に係わる中継機筐体のヒンジ部材の組立展開を示した模式図。
【図９】従来の中継器筐体の入出力反転機構を示した模式図。
【符号の説明】
１                本体部
２                蓋部
３                吊り部材
４                ヒンジ部材
１０              メッセンジャワイヤ
１１ａ、１１ｂ    取付け座部
１２ａ、１２ｂ    埋め込みボルト
１５、２５        放熱フィン
１５ａ            凹部
１６              出力接栓
１７              入力接栓
２１              銘板
２６ａ、２６ｂ    腕部
２７ａ、２７ｂ    軸部
３２              第２挿通孔
３３ａ、３３ｂ    ワイヤ挿通孔
４２              第１挿通孔
【図１】
0003660095.tif 000002
【図２】
0003660095.tif 000003
【図３】
0003660095.tif 000004
【図４】
0003660095.tif 000005
【図５】
0003660095.tif 000006
【図６】
0003660095.tif 000007
【図７】
0003660095.tif 000008
【図８】
0003660095.tif 000009
【図９】
0003660095.tif 000010